【手続補正書】
【提出日】平成20年5月20日(2008.5.20)
【手続補正１】
【補正対象書類名】明細書
【補正対象項目名】特許請求の範囲
【補正方法】変更
【補正の内容】
【特許請求の範囲】
【請求項１】 ディジタル検出器及び放射線源を有するディジタル・イメージング・システムに対する可変の横方向中心対中心設定ポイントを決定するための方法であって、検出器横方向中心線を有する検出器を第１の検出器位置に設けるステップと、放射線源を線源の長軸に沿った第１の線源位置に位置決めするステップと、放射線源によって、検出器により検出可能である第１の放射線域を形成させるステップと、第１の放射線域を前記検出器位置において検出するステップと、第１の放射線域の第１の横方向中心線を決定するステップと、放射線源を第１の線源位置から横方向に変位した第２の線源位置に位置決めするステップと、放射線源によって、検出器により検出可能である第２の放射線域を形成させるステップと、第２の放射線域を前記検出器位置において検出するステップと、第２の放射線域の第２の横方向中心線を決定するステップと、決定した第１及び第２の横方向中心線並びに第１及び第２の線源位置に基づいて横方向ゲイン定数を決定するステップと、を含む方法。
【請求項２】検出器が第１の検出器位置にある時点で線源により形成されるＸ線域が検出器の横方向中心線に対して実質的に中心に来るように、前記線源の中心横方向位置を前記横方向ゲイン定数に基づいて決定するステップ、をさらに含む請求項１に記載の方法。
【請求項３】線源位置センサを設けるステップと、前記線源位置センサを利用して第１の線源位置を検知するステップと、第１の線源位置を表す第１のセンサ信号を発生させるステップと、前記線源位置センサを利用して第２の線源位置を検知するステップと、第２の線源位置を表す第２のセンサ信号を発生させるステップと、をさらに含む請求項１に記載の方法。
【請求項４】 第１及び第２の横方向中心線を決定する前記ステップが、それぞれ第１及び第２の放射線域の互いに反対側の横方向辺縁エッジを検出するステップを含む、請求項１に記載の方法。
【請求項５】 線源を第１及び第２の線源位置に位置決めする前記ステップが、線源を自動で位置決めするための第１及び第２の制御信号を発生させるステップと、前記第１及び第２の制御信号のそれぞれに応答して線源を移動させるステップと、を含んでおり、
第１及び第２の制御信号を発生させる前記ステップが、遠隔箇所から第１及び第２の制御コマンドを提供するステップを含む、請求項１に記載の方法。
【請求項６】第１の検出器位置から検出器並進軸に沿って変位した第２の検出器位置に検出器を位置決めするステップと、線源を第３の線源位置に位置決めするステップと、前記線源によって、第２の検出器位置で検出器により検出可能である第３の放射線域を形成させるステップと、第３の放射線域を前記検出器位置において検出するステップと、第３の放射線域の第３の横方向中心線を決定するステップと、線源を、第３の線源位置から横方向に変位した第４の線源位置に位置決めするステップと、前記線源によって、第２の検出器位置で検出器により検出可能である第４の放射線域を形成させるステップと、第４の放射線域を前記検出器位置において検出するステップと、第４の放射線域の第４の横方向中心線を決定するステップと、決定した第３及び第４の横方向中心線並びに第３及び第４の線源位置に基づいて第２の横方向ゲイン定数を決定するステップと、
検出器が第２の検出器位置にある時点で線源により形成される放射線域が検出器の横方向中心線に対して実質的に横方向の中心に来るように、前記線源の第２の中心横方向位置を前記第２の横方向ゲイン定数に基づいて自動的に決定するステップと、
第１及び第２の横方向ゲイン定数並びに第１及び第２の検出器位置を利用して並進方向ゲイン定数を決定するステップと、前記並進方向ゲイン定数を利用して、検出器の並進軸に沿った任意の検出器位置において横方向中心線源位置を決定するステップと、
線源対検出器ゲイン定数を決定するステップと、前記線源対検出器ゲイン定数及び前記並進方向ゲイン定数を利用して、線源並進軸に沿った任意の線源位置、検出器長軸に沿った任意の検出器位置、並びに任意の線源・検出器離間距離において横方向中心線源位置を決定するステップと、をさらに含む請求項１に記載の方法。
【請求項７】 第１の検出器位置に位置決めされたディジタル検出器により検出可能な放射線域を形成させる放射線源を有するディジタル・イメージング・システムの横方向中心対中心設定ポイントを決定するための方法であって、放射線源が第１の線源位置にある時点で形成させた第１の検出後放射線域の第１の横方向中心線を決定するステップと、放射線源が第１の線源位置から横方向に変位した第２の線源位置にある時点で形成された第２の検出後放射線域の第２の横方向中心線を決定するステップと、決定された第１及び第２の横方向中心線並びに第１及び第２の線源位置に基づいて、第１の横方向ゲイン定数を決定するステップと、前記第１の横方向ゲイン定数を利用して、前記線源により形成した放射線域が検出器の横方向中心線に対して実質的に横方向の中心に来る位置である、横方向中心線源位置を決定するステップと、を含む方法。
【請求項８】 前記ディジタル検出器が画像マトリックを規定している複数の横列及び複数の縦列を備えると共に、第１の横方向中心線を決定する前記ステップが、第１の検出後放射線域の互いに反対側の第１及び第２の周辺横方向エッジに対応する該画像マトリックスの第１及び第２の横列を決定するステップを含む、請求項７に記載の方法。
【請求項９】 第１の横方向ゲイン定数を決定する前記ステップと線源位置センサにより線源の横方向検知位置を決定する前記ステップ、並びに検知した各線源位置、中心線源位置を表す線源位置信号を発生させるステップが、さらに該線源位置信号に基づいている、請求項７に記載の方法。
【請求項１０】 ディジタル検出器を、第１の検出器位置から検出器並進軸に沿って変位させた第２の検出器位置に位置決めするステップと、放射線源が第１の線源位置から少なくとも線源並進軸に沿って変位させた第３の線源位置にあり、かつディジタル検出器が第２の検出器位置にある時点で形成した第３の検出後放射線域の第３の横方向中心線を決定するステップと、放射線源が第３の線源位置から線源並進軸に対して横方向に変位させた第４の線源位置にあり、かつディジタル検出器が第２の検出器位置にある時点で形成した第４の検出後放射線域の第４の横方向中心線を決定するステップと、決定された第３及び第４の横方向中心線並びに第３及び第４の線源位置に基づいて、第２の横方向ゲイン定数を決定するステップと、前記第２の横方向ゲイン定数に基づいて、検出器が第２の検出器位置にある時点での検出器の横方向中心線に対して、線源により形成される放射線域が実質的に横方向の中心に来る位置である横方向中心線源位置を決定するステップと、
検出器位置センサにより検出器の位置決めを検知するステップと、検知した各検出器位置を表す検出器位置信号を発生させるステップと、第１及び第２の横方向ゲイン定数並びに第１及び第２の検出器位置を表す検出器位置信号に基づいて並進方向ゲイン定数を決定するステップと、前記並進方向ゲイン定数に基づいて、検出器が検出器の並進軸に沿った任意の位置にあるときの横方向中心線源位置を決定するステップと、を含む請求項７に記載の方法。
【請求項１１】 線源を第１及び第２の線源位置のそれぞれに自動的に位置決めするために、第１及び第２の制御信号を発生させるステップと、前記第１及び第２の制御信号に応答して線源を移動させるステップと、を含み、
第１及び第２の制御信号を発生させる前記ステップが、線源及び検出器から離れた箇所から第１及び第２の制御コマンドを提供するステップを含む、請求項７に記載の方法。
【請求項１２】 ディジタル検出器に対する放射線源の横方向中心対中心設定ポイントを自動的に決定するためのシステムであって、放射線域を形成させるための放射線源であって、少なくとも線源の横方向軸に沿って移動可能であると共に、第１の放射線域を第１の線源位置に形成し第２のＸ線域を第１の線源位置から横方向に変位した第２の線源位置に形成させるように構成した、放射線源と、横方向中心線を有すると共に、前記第１及び第２の放射線域を検出し第１及び第２の放射線域を表す検出器信号を発生させるためのディジタル検出器と、処理モジュールであって、第１の放射線域を表す検出器信号に基づいて第１の放射線域の第１の横方向中心線を決定すること、第２の放射線域を表す検出器信号に基づいて第２の放射線域の第２の横方向中心線を決定すること、前記第１及び第２の横方向中心線並びに第１及び第２の線源位置に基づいて横方向ゲイン定数を決定すること、を行うように構成させた処理モジュールと、を備えるシステム。
【請求項１３】 前記処理モジュールが、前記横方向ゲイン定数を利用して、放射線源により形成される放射線域が検出器の横方向中心線に対して横方向の中心に来る位置である横方向中心線源位置を決定すること、を行うように構成されている、請求項１２に記載のシステム。
【請求項１４】 任意の線源位置を表すセンサ指示表示を提供するための線源位置センサを備えており、
前記検出器信号が第１及び第２の放射線域の各々に関する横方向で互いに反対側のエッジを表している、請求項１２に記載のシステム。
【請求項１５】 前記放射線源が線源の横方向軸を横切る線源並進軸に沿って移動可能であり、
前記検出器が検出器並進軸に沿って移動可能であり、
前記線源並進軸と前記検出器並進軸とが実質的に平行である、請求項１２に記載のシステム。
【請求項１６】 さらに、横方向ゲイン定数の決定を開始させるコマンドを提供するためのユーザ・インタフェースを備えており、
前記コマンドが線源を第１及び第２の線源位置に位置決めさせるコマンドを含む、請求項１２に記載のシステム。